(57)【要約】【課題】  ユーザの認証効率を低下させることなく、ユーザの利便性を向上させ得る登録装置を提案する。【解決手段】  生体部位における識別対象を信号として読み取る読取手段と、読取手段により読み取られた信号から、複数の抽出形式に従って識別対象のパターンをそれぞれ抽出する抽出手段と、信号処理手段により各抽出形式に従って抽出された複数の識別対象のパターンを、商取引サーバとの間でデータ通信する複数の端末装置での本人認証用として、各抽出形式にそれぞれ割り当てられたコードに対応付けて、可搬型の記憶媒体にそれぞれ登録する登録手段とを設けるようにした。【選択図】        図５
2007026310.tif 000002
【特許請求の範囲】
【請求項１】
生体部位における識別対象を信号として読み取る読取手段と、
上記読取手段により読み取られた上記信号から、複数の抽出形式に従って識別対象のパターンをそれぞれ抽出する抽出手段と、
上記抽出手段により各上記抽出形式に従って抽出された複数の上記識別対象のパターンを、商取引サーバとの間でデータ通信する複数の端末装置での本人認証用として、各上記抽出形式にそれぞれ割り当てられたコードに対応付けて、可搬型の記憶媒体にそれぞれ登録する登録手段と
を具えることを特徴とする登録装置。
【請求項２】
上記コードは、
上記識別対象の種類と、上記識別対象のパターンを抽出する抽出領域と、上記信号に対する抽出処理の内容とに上記抽出形式を分類して表し、
上記抽出領域は、
生体部位を最大の選定範囲として規定し、その生体部位以内の領域に選定された
ことを特徴とする請求項１に記載の登録装置。
【請求項３】
上記読取手段は、
上記生体部位における複数種類の上記識別対象を信号として同時に読み取る
ことを特徴とする請求項２に記載の登録装置。
【請求項４】
上記コード及び上記抽出形式に対応する抽出プログラムを管理するサーバに接続する接続手段と、
上記接続手段を介して上記サーバから最新のコード及び抽出プログラムを定期的に取得する取得手段と
を具え、
上記抽出手段は、
上記最新の抽出プログラムに従って識別対象のパターンをそれぞれ抽出する
ことを特徴とする請求項１に記載の登録装置。
【請求項５】
生体部位における識別対象を信号として読み取る第１のステップと、
上記信号から、複数の抽出形式に従って識別対象のパターンをそれぞれ抽出する第２のステップと、
各上記抽出形式に従って抽出された複数の上記識別対象のパターンを、商取引サーバとの間でデータ通信する複数の端末装置での本人認証用として、各上記抽出形式にそれぞれ割り当てられたコードに対応付けて、可搬型の記憶媒体にそれぞれ登録する第３のステップと
を具えることを特徴とする登録方法。
【請求項６】
コンピュータに対して、
生体部位における識別対象を信号として読み取る第１の処理と、
上記信号から、複数の抽出形式に従って識別対象のパターンをそれぞれ抽出する第２の処理と、
各上記抽出形式に従って抽出された複数の上記識別対象のパターンを、商取引サーバとの間でデータ通信する複数の端末装置での本人認証用として、各上記抽出形式にそれぞれ割り当てられたコードに対応付けて、可搬型の記憶媒体にそれぞれ登録する第３の処理と
を実行させることを特徴とするプログラム。
【発明の詳細な説明】
【技術分野】
【０００１】
本発明は、登録装置、登録方法及びプログラムに関し、例えばバイオメトリクス認証に適用して好適なものである。
【背景技術】
【０００２】
近年、バイオメトリクス認証が着目されており、例えば銀行では、実際の生体部位から生体データを抽出すると共に、キャッシュカードの内蔵記憶媒体に予め登録された生体データを読み出し、これら生体データの照合結果に応じて、銀行サーバとの間で貨幣を引き出すための処理等を実行するようになされたシステムが実用化されている。
【０００３】
このようなシステムは、銀行のみならず各種金融機関で実用化されることが想定され、当該システムには、各種金融機関ごとに独自のバイオメトリクス認証が採用されることも想定される。
【０００４】
ところで、バイオメトリクス認証を適用した商取引システムとして、例えば、商取引の申し込み主体を特定するのに必要なユーザの生物学的特徴を認識する複数の認識装置と、金融機関やクレジット会社に設けられた複数の端末機との間に、ユーザのＩＤデータ及び生物学的特徴を個人ファイルとして保持されたコンピュータを設けたものが提案されている（例えば特許文献１参照）。
【０００５】
この商取引システムでは、コンピュータは、認識装置から認識結果が入力されると、個人ファイルを検索し、その個人ファイルに登録された同一の生物学的特徴を有するユーザが商取引の申し込み主体であるとして認定し、当該認識装置と、その取引相手である端末機との間におけるデータの授受を仲介することができる。
【特許文献１】特開２００１−３３８１３５公報（第１図）
【発明の開示】
【発明が解決しようとする課題】
【０００６】
ところがかかる商取引システムでは、生体識別対象として抽出する種類（例えば指紋又は血管等）及び抽出箇所（例えば指又は掌等）などが金融機関に応じて相違する場合には、コンピュータが、金融機関ごとに対応する生体識別対象の抽出方式に従って抽出処理を実行する必要がある。
【０００７】
この場合、コンピュータは、複数の認識装置及び端末機を一括管理しているため、申し込み主体における生物学的特徴が複数の認識装置から同時に又は順次入力されることを考慮すると、ユーザの認証処理の効率が著しく低下し、実質上機能しないといった事態が想定される。
【０００８】
一方、各種金融機関が独自のバイオメトリクス認証を採用することに伴って、当該金融機関に対応するキャッシュカードが発行される場合も想定され、この場合、ユーザにとっては、各種金融機関に対応するキャッシュカードを所持しなければならないといった事態や、各種キャッシュカードのうち使用対象の貨幣支払機（いわゆるＡＴＭ(Automatic teller machine)）に対応するキャッシュカードがどれであるか分からなくなるといった事態が想定される。
【０００９】
本発明は以上の点を考慮してなされたもので、ユーザの認証効率を低下させることなく、ユーザの利便性を向上させ得る登録装置、登録方法及びプログラムを提案しようとするものである。
【課題を解決するための手段】
【００１０】
かかる課題を解決するため本発明は、登録装置であって、生体部位における識別対象を信号として読み取る読取手段と、読取手段により読み取られた信号から、複数の抽出形式に従って識別対象のパターンをそれぞれ抽出する抽出手段と、信号処理手段により各抽出形式に従って抽出された複数の識別対象のパターンを、商取引サーバとの間でデータ通信する複数の端末装置での本人認証用として、各抽出形式にそれぞれ割り当てられたコードに対応付けて、可搬型の記憶媒体にそれぞれ登録する登録手段とを設けるようにした。
【００１１】
従って、この登録装置では、複数の抽出形式に従って抽出された各識別対象のパターンが記憶媒体に登録されるため、当該識別対象のパターンと比較するためのパターンを抽出する抽出方式が各端末装置で相違する場合であっても、それら抽出方式に応じた複数の記憶媒体の所持をユーザに強要させずに、一の記憶媒体を共用させることができる。また、記憶媒体に登録される認証対象のパターンには各抽出形式にそれぞれ割り当てられたコードが対応付けられているため、当該端末装置に対して、自己の抽出方式に対応する識別対象のパターンが記憶媒体に登録されているか否かを認証処理の実行前に把握させ得るので、不要な認証処理を確実に回避させることができる。
【００１２】
また本発明は、登録方法であって、生体部位における識別対象を信号として読み取る第１のステップと、信号から、複数の抽出形式に従って識別対象のパターンをそれぞれ抽出する第２のステップと、各抽出形式に従って抽出された複数の識別対象のパターンを、商取引サーバとの間でデータ通信する複数の端末装置での本人認証用として、各抽出形式にそれぞれ割り当てられたコードに対応付けて、可搬型の記憶媒体にそれぞれ登録する第３のステップとを設けるようにした。
【００１３】
従って、この登録方法では、複数の抽出形式に従って抽出された各識別対象のパターンが記憶媒体に登録されるため、当該識別対象のパターンと比較するためのパターンを抽出する抽出方式が各端末装置で相違する場合であっても、それら抽出方式に応じた複数の記憶媒体の所持をユーザに強要させずに、一の記憶媒体を共用させることができる。また、記憶媒体に登録される認証対象のパターンには各抽出形式にそれぞれ割り当てられたコードが対応付けられているため、当該端末装置に対して、自己の抽出方式に対応する識別対象のパターンが記憶媒体に登録されているか否かを認証処理の実行前に把握させ得るので、不要な認証処理を確実に回避させることができる。
【００１４】
さらに本発明は、プログラムであって、コンピュータに対して、生体部位における識別対象を信号として読み取る第１の処理と、信号から、複数の抽出形式に従って識別対象のパターンをそれぞれ抽出する第２の処理と、各抽出形式に従って抽出された複数の識別対象のパターンを、商取引サーバとの間でデータ通信する複数の端末装置での本人認証用として、各抽出形式にそれぞれ割り当てられたコードに対応付けて、可搬型の記憶媒体にそれぞれ登録する第３の処理とを実行させるようにした。
【００１５】
従って、このプログラムでは、複数の抽出形式に従って抽出された各識別対象のパターンが記憶媒体に登録されるため、当該識別対象のパターンと比較するためのパターンを抽出する抽出方式が各端末装置で相違する場合であっても、それら抽出方式に応じた複数の記憶媒体の所持をユーザに強要させずに、一の記憶媒体を共用させることができる。また、記憶媒体に登録される認証対象のパターンには各抽出形式にそれぞれ割り当てられたコードが対応付けられているため、当該端末装置に対して、自己の抽出方式に対応する識別対象のパターンが記憶媒体に登録されているか否かを認証処理の実行前に把握させ得るので、不要な認証処理を確実に回避させることができる。
【発明の効果】
【００１６】
以上のように本発明によれば、生体部位における識別対象を信号として読み取り、当該読み取られた信号から、複数の抽出形式に従って識別対象のパターンをそれぞれ抽出し、これら抽出形式に従って抽出された複数の識別対象のパターンを、商取引サーバとの間でデータ通信する複数の端末装置での本人認証用として、当該抽出形式にそれぞれ割り当てられたコードに対応付けて、可搬型の記憶媒体にそれぞれ登録するようにしたことにより、互いに異なる抽出形式が採用された複数の端末装置で記憶媒体を共用させることができると共に、当該端末装置に対して不要な認証処理を確実に回避させることができ、かくしてユーザの認証効率を低下させることなく、ユーザの利便性を向上させ得る登録装置、登録方法及びプログラムを実現できる。
【発明を実施するための最良の形態】
【００１７】
以下図面について、本発明の一実施の形態を詳述する。
【００１８】
（１）本実施の形態による商取引システムの構成
図１において、１は本実施の形態による商取引システムの全体構成を示し、所定のキャッシュカードＣＤに搭載されたＥＥＰＲＯＭ等の記憶媒体ＭＲに生体データを記憶又は当該記憶された生体データを更新する複数の登録装置２１〜２Ｎ（Ｎは整数）と、複数の貨幣支払機（以下、これをＡＴＭと呼ぶ）３１〜３Ｍ（Ｍは整数）と、各種金融機関のサーバ（以下、これをと金融サーバ呼ぶ）４１〜４Ｌ（Ｌは整数）とによって構成される。
【００１９】
この商取引システム１における登録装置２１〜２Ｎ及びＡＴＭ３１〜３Ｍは、例えば銀行やコンビニエンスストア等の所定の各種施設に設置されており、当該登録装置２１〜２Ｎは例えばインターネット等のローカルネットワーク５にそれぞれ接続され、ＡＴＭ３１〜３Ｍは専ら金融機関内で情報の授受するためのネットワーク（以下、これを金融ネットワークと呼ぶ）６にそれぞれ接続されている。また登録装置２１〜２Ｎはそれぞれ同一の構成でなっている。
【００２０】
ここで、説明の便宜上、図２に示すように、登録装置２１と、第１の銀行に設置されたＡＴＭ（以下、これを第１銀行ＡＴＭと呼ぶ）３１と、第２の銀行に設置されたＡＴＭ（以下、これを第２銀行ＡＴＭと呼ぶ）３２と、第１の銀行における金融サーバ（以下、これを第１銀行サーバと呼ぶ）４１と、第２の銀行における金融サーバ（以下、これを第２銀行サーバと呼ぶ）４２とに着目して以下説明する。
【００２１】
登録装置２１は、生体の掌に内在する血管を信号（以下、これを掌血管信号と呼ぶ）として読み取ると同時に、その掌に表在する指紋を信号（以下、これを掌指紋信号と呼ぶ）として読み取るセンサ（以下、これを指紋血管読取センサと呼ぶ）２１と、当該掌血管信号又は掌指紋信号に対して、各金融機関（金融サーバ４１〜４Ｌ）で採用される抽出方式に対応するプログラム（以下、これを抽出プログラムと呼ぶ）に従って信号処理を施す信号処理部２２とを搭載している。
【００２２】
この各金融機関で採用される抽出方式には、当該抽出方式を、識別対象の種類と、当該識別対象のパターンを抽出する抽出領域と、当該識別対象を生体データとして抽出する処理の内容（以下、これを抽出処理内容と呼ぶ）とに分類して表すコード（以下、これを分類コードと呼ぶ）がそれぞれ割り当てられている。
【００２３】
この実施の形態の場合、図３に示すように、識別対象には指紋及び血管が採用され、抽出領域には掌領域及び指領域が採用され、抽出処理内容にはＡ処理、Ｂ処理及びＣ処理が採用されており、これら識別対象、抽出領域及び抽出処理内容の組み合わせが分類コードに反映されている。そして第１の金融機関（第１銀行サーバ４１）で採用された抽出方式には、掌の指紋をＡ処理で抽出すべきことを表す第１の分類コードＣＬ１が割り当てられ、第２の金融機関（第２銀行サーバ４２）で採用された抽出方式には、指の血管をＢ処理で抽出すべきことを表す第２の分類コードＣＬ２が割り当てられ、また第３以降の金融機関（金融サーバ４３〜４Ｌ）も分類コードＣＬ３〜ＣＬＬがそれぞれ割り当てられている。
【００２４】
信号処理部２２は、かかる分類コードＣＬ１に対応する抽出プログラムに従って、指紋血管読取センサ２１で読み取られた掌指紋信号に対してＡ処理を施して掌の指紋パターンを表す生体データを抽出すると共に、分類コードＣＬ２に対応する抽出プログラムに従って、指紋血管読取センサ２１で読み取られた掌血管信号に対してＢ処理を施して指の血管パターンを表す生体データを抽出する。同様に、信号処理部２２は、分類コードＣＬ３〜ＣＬＬに対応する抽出プログラムに従って、指紋血管読取センサ２１で読み取られた指紋信号又は血管信号に対してＡ処理、Ｂ処理又はＣ処理を施し、当該分類コードＣＬ３〜ＣＬＬに対応する複数の生体データをそれぞれ抽出する。
【００２５】
そして信号処理部２２は、これら生体データを、対応する分類コードＣＬとともに、このとき所定の装填箇所に装填されたキャッシュカードＣＤの記憶媒体ＭＲに記憶又は更新することにより登録するようになされている。この結果、ユーザは、かかるキャッシュカードＣＤを所持してさえいれば、複数枚のキャッシュカードを所持することなく各金融機関で採用される抽出方式に対応した複数の生体データを保持することができることになる。
【００２６】
一方、第１銀行ＡＴＭ３１は、生体の掌に表在する指紋を掌指紋信号として読み取るセンサ（以下、これを掌指紋読取センサと呼ぶ）３１１と、第１の銀行で採用された抽出方式に従って生体データを抽出する抽出処理部３２１とを搭載している。
【００２７】
この第１銀行ＡＴＭ３１は、第１の銀行サーバ４１と商取引を行う操作が行われた場合、このとき所定の装填箇所に装填されたキャッシュカードＣＤの記憶媒体ＭＲに記憶された生体データのうち、第１の銀行サーバ４１の分類コードＣＬ１が付加された生体データを読み出す。そして第１銀行ＡＴＭ３１は、この生体データと、このときキャッシュカードＣＤを所持するユーザから掌指紋読取センサ３１１及び抽出処理部３２１を順次介して抽出した生体データとを照合し、この照合結果に応じて、第１銀行サーバ４１と各種データを授受することにより、貨幣引出、残高照会、振込及び記帳等の商取引処理を実行する。
【００２８】
これに対して、第１銀行ＡＴＭ３１は、当該第１銀行ＡＴＭ３１に対応する第１銀行サーバ４１以外の金融サーバとして例えば第２銀行サーバ４２と商取引を行う操作が行われた場合、このときキャッシュカードＣＤを所持するユーザに第２銀行サーバ４２に対する暗証番号を入力させ、当該入力された暗証番号のデータ（以下、これを暗証番号データと呼ぶ）を金融ネットワーク６を介して第２銀行サーバ４２に送信する。そして第１銀行ＡＴＭ３１は、この暗証番号データに基づく第２銀行サーバ４２での照合結果に応じて、第２銀行サーバ４２と各種データを授受することにより商取引処理を実行するようになされている。
【００２９】
また第２銀行ＡＴＭ３２は、生体の指に内在する血管を信号（以下、これを指血管信号と呼ぶ）として読み取るセンサ（以下、これを指血管読取センサと呼ぶ）３１２と、当該血管信号から第２の銀行で採用された抽出方式に従って生体データを抽出する抽出処理部３２２とを搭載している。
【００３０】
この第２銀行ＡＴＭ３２は、第２の銀行サーバ４２と商取引を行う操作が行われた場合、このとき所定の装填箇所に装填されたキャッシュカードＣＤの記憶媒体ＭＲに記憶された生体データのうち、第２の銀行サーバ４２の分類コードＣＬ２が付加された生体データと、当該キャッシュカードＣＤを所持するユーザから指血管読取センサ３１２及び抽出処理部３２２を順次介して抽出した生体データとを照合し、この照合結果に応じて、第２の銀行サーバ４２と各種データを授受することにより商取引処理を実行する。
【００３１】
これに対して、第２銀行ＡＴＭ３２は、当該第２銀行ＡＴＭ３２に対応する第２銀行サーバ４２以外の金融サーバとして例えば第１銀行サーバ４１と商取引を行う操作が行われた場合、第１銀行ＡＴＭ３１と同様に、このときキャッシュカードＣＤを所持するユーザに入力された暗証番号データを金融ネットワーク６を介して第１銀行サーバ４１に送信する。そして第２銀行ＡＴＭ３２は、この暗証番号データに基づく第１銀行サーバ４１での照合結果に応じて、第１銀行サーバ４１と各種データを授受することにより商取引処理を実行するようになされている。
【００３２】
他方、第１銀行サーバ４１は、第１の銀行と契約した契約者の口座と、その契約者が決定した暗証番号と、預金等との対応付けをデータベース（以下、これを第１銀行口座データベースと呼ぶ）ＤＢ１として保持しており、当該第１銀行口座データベースＤＢ１に基づいて、第１銀行ＡＴＭ３１、第２銀行ＡＴＭ３２、ＡＴＭ３３、……、又はＡＴＭ２Ｍと各種データを授受することにより商取引処理を実行するようになされている。
【００３３】
また第２銀行サーバ４２は、第２の銀行と契約した契約者の口座と、その契約者が決定した暗証番号と、預金等との対応付けをデータベース（以下、これを第２銀行口座データベースと呼ぶ）ＤＢ２として保持しており、当該第２銀行口座データベースＤＢ２に基づいて、第１銀行ＡＴＭ３１、第２銀行ＡＴＭ３２、ＡＴＭ３３、……、又はＡＴＭ３Ｍと各種データを授受することにより商取引処理を実行するようになされている。
【００３４】
このようにこの商取引システム１（図１）では、正規ユーザが一枚のキャッシュカードＣＤを所持してさえいれば、いずれのＡＴＭ３１〜３Ｍからでも貨幣を引き出す等の商取引行為ができるようになされている。
【００３５】
またこの商取引システム１では、各金融機関で採用される抽出方式に対応する抽出処理機能をＡＴＭ３１〜３Ｍに搭載するといったことを強要させずに、ＡＴＭ３１〜３Ｍから貨幣を引き出す等の商取引行為ができるため、当該抽出処理機能をＡＴＭ３１〜３Ｍに搭載する場合に比して、ユーザ単位の貨幣引出処理の効率の低下を格段に抑制することができる。なお、既に稼働されているＡＴＭについては、分類コードＣＬ１〜ＣＬＬ（図３）を識別するための構成を付加するといった簡易な変更を施すだけで、当該変更したＡＴＭをＡＴＭ３１〜３Ｍとして用いることができるようになされている。
【００３６】
かかる構成に加えて、この商取引システム１では、分類コードＣＬ及びその分類コードＣＬの抽出処理内容に対応する抽出プログラムを管理する管理サーバ１０がローカルネットワーク５に接続されている。そして登録装置２１は、この管理サーバ１０にローカルネットワーク５を介して定期的に接続し、当該管理サーバ５で管理される最新の分類コードＣＬ及び抽出プログラムに更新するようになされている。
【００３７】
これによりこの商取引システム１では、新規参入又は脱退する金融サーバがあっても、当該金融サーバを増減した分類コードＣＬ１〜ＣＬＬ（図３）を識別させるといった簡易な変更をＡＴＭ３１〜３Ｍに対して施すだけで、正規ユーザが一枚のキャッシュカードＣＤの記憶媒体ＭＲを登録装置２１〜２Ｎにより更新を済ましてさえいれば、いずれのＡＴＭ３１〜３Ｍからでもからでも貨幣を引き出す等の商取引行為ができるようになされている。
【００３８】
（２）登録装置の構成
この登録装置２１〜２Ｎは同一構成であるため、ここでは登録装置２１について説明する。図４に示すように、登録装置２１は、当該登録装置２全体の制御を司る制御部２０に対して、指紋血管読取センサ２１、信号処理部２２、カードリーダライタ部２３及びローカルネットワークインターフェース２４がそれぞれ接続されることにより構成される。
【００３９】
この制御部２０は、ＣＰＵ(Central Processing Unit)と、プログラムや設定情報等の各種情報が格納されたＲＯＭ(Read Only Memory)と、ワークメモリとしてのＲＡＭ(Random Access Memory)とを有しており、当該ＲＯＭに格納された各種情報等に基づいて各種処理を実行する。
【００４０】
具体的に制御部２０は、定期的にローカルネットワークインターフェース２４を介して管理サーバ１０（図１）接続し、当該管理サーバ５で管理される最新の分類コードＣＬ及び抽出プログラムを要求する。そして制御部２０は、かかる要求の応答結果として管理サーバ１０から供給される最新の分類コードＣＬ及び抽出プログラムを信号処理部２２の内蔵メモリ（図示せず）に記憶更新するようになされている。
【００４１】
また制御部２０は、図示しない操作部から登録処理命令を受けた場合には、指紋血管読取センサ２１及び信号処理部２２を制御して登録処理を開始する（図５：ステップＳＰ０）。この場合、指紋血管読取センサ２１は、掌血管信号Ｓ１及び掌指紋信号Ｓ２を同時に読み取る（図５：ステップＳＰ１）。
【００４２】
具体的には、指紋血管読取センサ２１は、例えば、所定の載置台に載置された掌の血管に特異的に吸収される近赤外光を照射し、当該掌の血管を投影した近赤外光を光電変換により掌血管信号Ｓ１として生成すると共に、当該掌の指紋を静電誘導により掌指紋信号Ｓ２として生成し、これら血管信号Ｓ１及び掌指紋信号Ｓ２を信号処理部２２に送出する。
【００４３】
信号処理部２２は、このとき内蔵メモリに記憶された例えば分類コードＣＬ１〜ＣＬＬの抽出処理内容に対応する抽出プログラムに従って所定の抽出処理をそれぞれ実行するようになされている（図５：ステップＳＰ２）。
【００４４】
実際上、信号処理部２２は、分類コードＣＬ１に対応する抽出プログラムに従ってＡ処理を施すようになされており、具体的には、掌指紋信号Ｓ２に対してＡ／Ｄ(Analog/Digital)変換処理、エッジ抽出処理及び線状化処理を順次施し、掌における線状の指紋パターンを生体データＢＤ１として抽出する。
【００４５】
また信号処理部２２は、分類コードＣＬ２に対応する抽出プログラムに従ってＢ処理を施すようになされており、具体的には、掌血管信号Ｓ１に対してＡ／Ｄ(Analog/Digital)変換処理及びエッジ抽出処理を順次施した後に例えば中指を司る輪郭線を検出し、当該検出した中指における血管のうち予め規定された範囲内の血管部分のデータを切り出す。そして信号処理部２２は、血管部分のデータに対してノイズ除去処理、２値化処理及び線状化処理を順次施し、指における線状の血管パターンを生体データＢＤ２として抽出する。
【００４６】
同様に信号処理部２２は、分類コードＣＬ３〜ＣＬＬの抽出プログラムに従って、掌指紋信号Ｓ２又は掌血管信号Ｓ１に対して対応する所定の処理（Ａ処理、Ｂ処理又はＣ処理（図））を施し、当該分類コードＣＬ３〜ＣＬＬに対応する生体データＢＤ３〜ＢＤＬをそれぞれ抽出する。
【００４７】
そして信号処理部２２は、かかる分類コードＣＬ１〜ＣＬＬに対応する生体データＢＤ１〜ＢＤＮを全て抽出すると、これら生体データＢＤ１〜ＢＤＬ及び分類コードＣＬ１〜ＣＬＬを制御部２０に送出する。
【００４８】
制御部２０は、生体データＢＤ１〜ＢＤＬ及び分類コードＣＬ１〜ＣＬＬを受けると、これら生体データＢＤ１〜ＢＤＬと対応する分類コードＣＬ１〜ＣＬＬとを、カードリーダライタ部２３に装填されたキャッシュカードＣＤの記憶媒体ＭＲ（図１）に記憶又は更新することにより登録し（図５：ステップＳＰ３）、登録処理を終了する（図５：ステップＳＰ４）。
【００４９】
このようにして制御部２０は、指紋血管読取センサ２１及び信号処理部２２を適宜制御しながら登録処理を実行することができるようになされている。
【００５０】
（３）ＡＴＭの構成
次に、ＡＴＭ３１〜３Ｍについて説明するが、当該ＡＴＭ３１〜３Ｍは同様の構成であるため、ここでは第１銀行ＡＴＭ３１に着目して説明する。図６に示すように、第１銀行ＡＴＭ３１は、当該登録装置２全体の制御を司る制御部３０に対して、掌指紋読取センサ３１１、抽出処理部３２１、カードリーダ部３３、各種情報を視覚提示すると共に各種命令を入力するタッチパネル式の表示入力部３４、金融ネットワーク６（図１）に接続するインターフェース（以下、これを金融ネットワークインターフェースと呼ぶ）３５及び貨幣を提供する貨幣提供部３６がそれぞれ接続されることにより構成される。
【００５１】
この制御部３０は、ＣＰＵと、予めこの第１銀行ＡＴＭ３１に割り当てられた分類コードやプログラム等の各種情報が格納されたＲＯＭと、ワークメモリとしてのＲＡＭとを有しており、当該ＲＯＭに格納された各種情報と、ユーザ操作に応じて表示入力部３４から命令とに基づいて、商取引処理を実行するようになされている。
【００５２】
一方、掌指紋読取センサ３１１は、掌指紋信号Ｓ３を読み取り、当該読み取った掌指紋信号Ｓ３を抽出処理部３２１に送出する。なお、この掌指紋読取センサ３１１は、第２銀行ＡＴＭ３２若しくはＡＴＭ３３、……、又は３Ｍの場合には、対応する読取センサ３１２、３１３、……、又は３１Ｍに代わる。
【００５３】
他方、抽出処理部３２１は、掌指紋信号Ｓ３に対してＡ／Ｄ変換処理、エッジ抽出処理及び線状化処理を順次施し、掌における線状の指紋パターンを、キャッシュカードＣＤの記憶媒体ＭＲに登録された生体データＢＤと比較する生体データ（以下、これを比較生体データと呼ぶ）ＣＢＤとして抽出し、これを制御部３０に送出するようになされている。
【００５４】
なお、この抽出処理部３２１についても掌指紋読取センサ３１１と同様に、第２銀行ＡＴＭ３２若しくはＡＴＭ３３、……、又は３Ｍの場合には、対応する抽出処理部３２２、３２３、……、又は３２Ｍに代わる。またこの抽出処理部３２２、３２３、……、又は３２Ｍでの処理内容は、対応する分類コードＣＬ（図３）の処理内容と一致するものである。
【００５５】
ここで、かかる制御部３０における商取引処理を図７に示すフローチャートを用いて詳細に説明する。
【００５６】
制御部３０は、カードリーダ部３３からキャッシュカードＣＤが装填された旨の通知を受けるとこの商取引処理手順ＲＴを開始し、続くステップＳＰ１１において、当該キャッシュカードＣＤの記憶媒体ＭＲに登録された分類コードＣＬ１〜ＣＬＬ（図３）を読み出し、ステップＳＰ１２に進んで、当該分類コードＣＬ１〜ＣＬＬのなかに、第１銀行ＡＴＭ３１に予め割り当てられた分類コードＣＬ１があるか否かを判定する。
【００５７】
ここで、第１銀行ＡＴＭ３１に割り当てられた分類コードＣＬ１がある場合、このことは、第１の銀行で採用されている抽出方式に従って生体認証し得ることを意味しており、この場合、制御部３０は、ステップＳＰ１３に進んで、キャッシュカードＣＤの記憶媒体ＭＲからカードリーダ部３３を介して分類コードＣＬ１に対応付けられた生体データＢＤ１を読み出し、続くステップＳＰ１４において、掌指紋読取センサ３１１及び抽出処理部３２１を制御して比較生体データＣＢＤを取得する。そして制御部３０は、続くステップＳＰ１５において、生体データＢＤ１と比較生体データＣＢＤとを照合し、所定の閾値以上の照合結果が得られた場合には、次のステップＳＰ１６に進む。
【００５８】
これに対して、第１銀行ＡＴＭ３１に割り当てられた分類コードＣＬ１がない場合、このことは、第１の銀行で採用されている抽出方式に従って生体認証できないことを意味しており、この場合、制御部３０は、ステップＳＰ１７に進んで、商取引希望の金融機関及びその金融機関に設定した暗証番号を入力する旨を表示入力部３４を介して視覚提示し、当該表示入力部３４から入力された金融機関に対応する例えば第２銀行サーバ４２に暗証番号データを金融ネットワークインターフェース３５を介して送信する。そして制御部３０は、続くステップＳＰ１８において、かかる暗証番号データに基づく第２銀行サーバ４２での照合結果を待ち受け、所定の閾値以上の照合結果が得られた場合には、次のステップＳＰ１６に進む。
【００５９】
制御部３０は、このステップＳＰ１６では、商取引処理を実行する。具体的に制御部３０は、例えばユーザの口座番号や希望引出金額を入力する旨を表示入力部３４を介して視覚提示し、当該表示入力部３４から入力された口座番号及び希望引出金額等のデータを第１銀行サーバ４１に金融ネットワークインターフェース３５を介して送信する。そして制御部３０は、第１銀行サーバ４１から希望引出金額での引出許否を待ち受け、当該引出許可を受けた場合にはその希望引出金額に相当する貨幣を貨幣提供部３６から提供し、これに対して引出拒否を受けた場合にはその旨を表示入力部３４を介して視覚提示する。
【００６０】
このように制御部３０は、ユーザ操作に対応する商取引処理に関する各種データを第１銀行サーバ４１と授受し、当該商取引が完了した場合には、ステップＳＰ１９に進んでこの商取引処理を終了する。
【００６１】
このようにして制御部３０は、自己に割り当てられた分類コードの有無に応じて生体認証の可否を決定し、商取引処理を実行することができるようになされている。
【００６２】
（４）動作及び効果
以上の構成において、この商取引システム１における登録装置２１（２２、２３、……、又は２Ｎ）は、生体部位における識別対象を信号として読み取り、当該読み取った信号から、複数の抽出形式に従って識別対象のパターンをそれぞれ抽出し、これら識別対象のパターンを、金融サーバ４１〜４Ｌとの間でデータ通信するＡＴＭ３１〜３Ｍでの本人認証用として、当該抽出形式にそれぞれ割り当てられた分類コードＣＬ１〜ＣＬＬに対応付けてキャッシュカードＣＤの記憶媒体ＭＲにそれぞれ登録する。
【００６３】
従って、この商取引システム１では、複数の抽出形式に従って抽出された各識別対象のパターンが記憶媒体ＭＲに登録されるため、当該識別対象のパターンと比較するためのパターンを抽出する抽出方式が各ＡＴＭ３１〜３Ｍで相違する場合であっても、それら抽出方式に応じた複数の記憶媒体の所持をユーザに強要させずに、一の記憶媒体ＭＲを共用させることができる。
【００６４】
また、記憶媒体ＭＲに登録される認証対象のパターンには各抽出形式にそれぞれ割り当てられた分類コードＣＬ１〜ＣＬＬが対応付けられているため、ＡＴＭ３１〜３Ｍに対して、当該ＡＴＭ３自身の抽出方式に対応する識別対象のパターンが記憶媒体ＭＲに登録されているか否かを認証処理の実行前に把握させ得るので、不要な認証処理を確実に回避させることができる。
【００６５】
実際上、かかる分類コードＣＬ１〜ＣＬＬは、識別対象の種類と、識別対象のパターンを抽出する抽出領域と、信号に対する抽出処理の内容とに分類して抽出形式を表し、当該抽出領域は、生体部位を最大の選定範囲として規定し、その生体部位以内の領域に選定されている。
【００６６】
すなわち、この実施の形態では、最大の選定範囲として規定すべき生体部位を掌とし、その掌以内の指領域又は掌領域に選定している。
【００６７】
従って、この商取引システム１では、例えば顔の目の血管と、手の指の血管といったように互いに異なる生体部位の識別対象をパターンを抽出対象とする場合に比して、読取センサ２１を格段に簡易な構成とすることができると共に、当該生体部位の識別対象を読み取られるユーザの負担を軽減することができる。また一貫した生体部位に統一しているため、ユーザに対する違和感を解消することもできる一方、抽出方式の増減や変更があった場合でも、ＡＴＭ３１〜３Ｍについては、その本質的状態を変えずに分類コードＣＬを再設定するといった簡易な設定で即座に対応させることができる。
【００６８】
また最大の選定範囲として規定すべき生体部位を掌として選定している状態において、この実施の形態では、読取センサ２１が、掌における識別対象として指紋及び血管の２種類の信号を同時に読み取るようにしている。従って、この商取引システム１では、当該生体部位の識別対象を読み取られるユーザの負担を一段と軽減することができる。
【００６９】
以上の構成によれば、生体部位における識別対象のパターンを、複数の抽出形式に従ってそれぞれ抽出し、金融サーバ４１〜４Ｌとの間でデータ通信するＡＴＭ３１〜３Ｍでの本人認証用として、当該抽出形式にそれぞれ割り当てられた分類コードＣＬ１〜ＣＬＬに対応付けてキャッシュカードＣＤの記憶媒体ＭＲにそれぞれ登録するようにしたことにより、互いに異なる抽出形式が採用された複数のＡＴＭ３１〜３Ｍで記憶媒体ＭＲを共用させることができると共に、当該ＡＴＭ３に対して不要な認証処理を確実に回避させることができ、かくしてユーザの認証効率を低下させることなく、ユーザの利便性を向上させ得る登録装置２１〜２Ｎを実現できる。
【００７０】
（５）他の実施の形態
上述の実施の形態においては、複数の抽出形式にそれぞれ割り当てられたコードとして、識別対象の種類と、識別対象のパターンを抽出する抽出領域と、信号に対する抽出処理の内容とに分類して抽出形式を表す分類コードＣＬ１〜ＣＬＬを適用するようにした場合について述べたが、本発明はこれに限らず、この他種々の観点から抽出方式を分類したコードを適用するようにしても良い。
【００７１】
なお、かかる抽出領域として、本実施の形態では、最大の選定範囲として規定すべき生体部位を掌とし、その掌又は指の指紋等を抽出領域として選定したが、本発明はこれに限らず、例えば、最大の選定範囲として規定すべき生体部位を顔とし、その顔内の目の血管や耳の形状等を抽出領域として選定するようにしたり、あるいは、最大の選定範囲として規定すべき生体部位を足とし、その足内の親指の指紋や中指の血管等を抽出領域として選定するようにしても良い。要は、上述したように、生体部位を最大の選定範囲として規定し、その生体部位以内の領域に抽出領域を選定するようにすれば、この他種々の抽出領域を選定することができる。
【００７２】
また、かかる抽出領域の選定に応じて、当該抽出領域における識別対象を信号として読み取る読取センサを対応するものに適宜代えることができ、一方、当該読取センサにより読み取られた信号から、複数の抽出形式に従って識別対象のパターンをそれぞれ抽出する抽出手法についても、抽出領域の選定に応じて、対応する処理の取捨選択及び追加したものに代えることができる。
【００７３】
また上述の実施の形態においては、可搬型の記憶媒体として、カードに内蔵したものを用いるようにした場合について述べたが、本発明はこれに限らず、ＵＳＢ(Universal Serial Bus)メモリやメモリスティック(ソニー・登録商標)等のように、内蔵せずにそれ自体をそのまま用いるようにしても良い。
【００７４】
さらに上述の実施の形態においては、コード及び上記抽出形式に対応する抽出プログラムを管理するサーバに接続する接続手段として、インターネット等のローカルネットワーク６に接続するローカルネットワークインターフェース２４を適用するようにした場合について述べたが、本発明はこれに限らず、例えばＬＡＮ(Local Aria Network)等の専用ネットワークに接続するインターフェースを適用するようにしても良い。
【００７５】
さらに上述の実施の形態においては、商取引サーバとの間でデータ通信する複数の端末装置として、金融サーバ４１〜４Ｌとの間でデータ通信する複数のＡＴＭ３１〜３Ｍを適用するようにした場合について述べたが、要は、金融以外の業種が商取引を担うサーバとの間でデータ通信する機能及びバイオメトリクス認証機能を搭載する種々の端末装置に本発明を適用することができる。
【産業上の利用可能性】
【００７６】
本発明は、電子商取引する場合に利用可能である。
【図面の簡単な説明】
【００７７】
【図１】本実施の形態による商取引システムの全体構成を示す略線図である。
【図２】商取引上における登録装置、ＡＴＭ及び金融サーバの関係についての説明に供する略線図である。
【図３】分類コード例を示す略線図である。
【図４】登録装置の構成を示すブロック図である。
【図５】登録処理手順を示すフローチャートである。
【図６】第１銀行ＡＴＭの構成を示すブロック図である。
【図７】商取引処理手順を示すフローチャートである。
【符号の説明】
【００７８】
１……商取引システム、２１〜２Ｎ……登録装置、３１……第１銀行ＡＴＭ、３２……第２銀行ＡＴＭ、３３〜３Ｍ……ＡＴＭ、４１……第１銀行サーバ、４２……第２銀行サーバ、４３〜４Ｌ……金融サーバ、５……ローカルネットワーク、６……金融ネットワーク、１０……管理サーバ、ＣＬ１〜ＣＬＬ……分類コード、２０、３０……制御部、２１……指紋血管読取センサ、２２……信号処理部、２３……カードリーダライタ部、２４……ローカルネットワークインターフェース、３１１……掌指紋読取センサ、３１２……指血管読取センサ、３２１、３２２……抽出処理部、３３……カードリーダ部、３４……表示入力部、３５……金融ネットワークインターフェース、３６……貨幣提供部、ＣＤ……キャッシュカード、ＭＲ……記憶媒体、Ｓ１……掌血管信号、Ｓ２、Ｓ３……掌指紋信号、ＢＤ１〜ＢＤＬ……生体データ、ＲＴ……商取引処理手順。
【図１】
2007026310.tif 000003
【図２】
2007026310.tif 000004
【図３】
2007026310.tif 000005
【図４】
2007026310.tif 000006
【図５】
2007026310.tif 000007
【図６】
2007026310.tif 000008
【図７】
2007026310.tif 000009